【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
１つ以上のビスアシルホスフィンオキシド部分によって置換されたオリゴマーまたはポリマーであって、前記ビスアシルホスフィンオキシド部分が、リン原子を介して、場合によりスペーサー基を介して、前記オリゴマーまたはポリマー骨格に結合しており、オリゴマーまたはポリマーが、式Ｉａ：
【化１】
2012532238.tif 000001
［式中、
ｍは、２以上の整数であり、
ｙおよびｚは、互いに独立して、０〜１５０００の整数であり、
Ａは、
【化２】
2012532238.tif 000002
であって、この場合、アスタリスクはＸへの結合を意味しており、
Ｂ1およびＢ2は、互いに独立して、
【化３】
2012532238.tif 000003
であり、
この場合、Ａ、Ｂ1、およびＢ2は、ランダム重合またはブロック重合によって同じポリマー骨格中に組み入れられており、
Ｘは、直接結合、Ｃ1〜Ｃ10−アルキレン、−（ＣＨ2）o−ＮＨ−ＣＯ−Ｏ−（ＣＨ2）p−＊、−（ＣＨ2）o−ＮＨ−ＣＯ−Ｏ−ＣＨ2−ＣＨＯＨ−ＣＨ2−＊、−（ＣＨ2）o−ＮＨ−ＣＯ−ＮＨ−（ＣＨ2）p−＊、−（ＣＨ2）o−ＮＨ−ＣＯ−Ｓ−（ＣＨ2）p−＊、−（ＣＨ2）o−Ｏ−ＣＯ−ＣＨＲ3−ＣＨ2−ＮＨ−（ＣＨ2）p−＊、＊−（ＣＨ2）o−Ｏ−ＣＯ−ＣＨＲ3−ＣＨ2−ＮＨ−（ＣＨ2）p−、−（ＣＨ2）o−ＣＯ−Ｏ−（ＣＨ2）p−＊、−（ＣＨ2）o−Ｏ−ＣＯ−ＣＨＲ3−ＣＨ2−Ｓ−（ＣＨ2）p−＊、＊−（ＣＨ2）o−Ｏ−ＣＯ−ＣＨＲ3−ＣＨ2−Ｓ−（ＣＨ2）p−、−（ＣＨ2）o−Ｏ−ＣＯ−ＣＨ（ＣＯＣＨ3）−ＣＨ2−Ｃ（ＣＯＯＲ3）ＣＨ2−＊、−（ＣＨ2）o−ＮＨ−ＣＨ2−ＣＨ2−Ｃ（ＣＯＯＲ3）ＣＨ2−＊、−（ＣＨ2）o−Ｓ−（ＣＨ2）o−Ｃ（ＣＯＯＲ3）ＣＨ2−＊、−（ＣＨ2）o−Ｏ−ＣＯ−ＣＨ（ＣＯＣＨ3）−ＣＨ2−ＣＨＲ3−ＣＯ−Ｏ−（ＣＨ2−ＣＨ2−Ｏ）t（ＣＯ）ＣＨ2−＊、−（ＣＨ2）o−ＮＨ−ＣＨ2−ＣＨＲ3−ＣＯ−Ｏ−（ＣＨ2−ＣＨ2−Ｏ）t（ＣＯ）ＣＨ2−＊、−（ＣＨ）o−Ｓ−ＣＨ2−ＣＨＲ3−ＣＯ−Ｏ−ＣＨ2−ＣＨ2−＊、−（ＣＨ2）o−Ｓ−ＣＨ2−ＣＨＲ3−ＣＯ−Ｏ−（ＣＨ2−ＣＨ2−Ｏ）t（ＣＯ）ＣＨ2−＊、−（ＣＨ2）o−ＮＨ−ＣＨ2−ＣＨＲ3−ＣＯ−Ｏ−ＣＨ2−ＣＨ2−＊、−（ＣＨ2）o−Ｏ−ＣＯ−ＣＨ（ＣＯＣＨ3）−ＣＨ2−ＣＨＲ3−ＣＯ−Ｏ−ＣＨ2−ＣＨ2−＊、−（ＣＨ2）o−ＣＯ−Ｏ−ＣＨ2−ＣＨＯＨ−ＣＨ2−＊、−（ＣＨ2）o−Ｏ（ＣＯ）−ＣＨ2−＊、−（ＣＨ2ＣＨ2Ｏ）t−（ＣＯ）−ＣＨ2−＊、−（ＣＨ2）o−ＣＨＯＨ−ＣＨ2−Ｏ（ＣＯ）−ＣＨ2−＊、または
【化４】
2012532238.tif 000004
であって、この場合、アスタリスクは、前記ビスアシルホスフィンオキシド部分への結合を意味しており、
ｏ、ｐ、およびｑは、互いに独立して、１〜４の整数であり、
ｒは、０〜２の整数であり、
ｓは、０または１であり、
ｔは、１または２の整数であり、
Ｒ1は、Ｃ1〜Ｃ4−アルキル、Ｃ1〜Ｃ4−アルコキシ、またはＣｌであり、ならびに
Ｒ2は、水素、Ｃ1〜Ｃ4−アルキル、Ｃ1〜Ｃ4−アルコキシ、またはＣｌであり、
Ｒ3は、水素またはメチルであり、
Ｒ4は、Ｃ1〜Ｃ4アルキルであり、
Ｒ5は、メチル、フェニル、またはエトキシであり、
Ｒ6は、Ｃ1〜Ｃ10アルキルまたはＣ1〜Ｃ9ペルフルオロアルキルであり、
Ｒ7は、非置換あるいはＣ1〜Ｃ4アルキル、Ｃ1〜Ｃ4アルコキシ、またはＣｌによって置換されている、Ｃ1〜Ｃ10アルキル、−ＣＨ2−Ｏ−Ｃ1〜Ｃ10アルキル、−ＣＨ2−Ｏ−（ＣＨ2）o−Ｃ5〜Ｃ8シクロアルキル、−ＣＨ2−Ｏ−（ＣＨ2）o−Ｃ6〜Ｃ10アリール、Ｃ1〜Ｃ9ペルフルオロアルキル、−ＣＨ2−Ｏ−Ｃ1〜Ｃ10ペルフルオロアルキル、−ＣＨ2−Ｏ−Ｃ6〜Ｃ10アリールであり、
Ｒ8は、水素、Ｃ1〜Ｃ8アルキル、（ＣＯ）Ｏ−Ｒ15、またはＣＮであり、
Ｒ9は、水素、（ＣＯ）Ｏ−Ｒ15であり、
あるいはＲ8およびＲ9が一緒になって、−（ＣＨ2）w−、−ＣＨ＝ＣＨ−ＣＨ2−、−（ＣＯ）−Ｏ−（ＣＯ）−、−（ＣＯ）−Ｎ（Ｒ16）−ＣＯ−、または
【化５】
2012532238.tif 000005
であり、
Ｒ10は、水素、Ｃ1〜Ｃ8−アルキル、または−ＳＯ3-Ｅ+であり、
Ｒ11は、水素であり、
あるいはＲ10およびＲ11は一緒になって、−Ｏ−ＣＨ2ＣＨ2−Ｏ−であり、
Ｒ12およびＲ13は、互いに独立して、Ｃ1〜Ｃ4−アルキル、ビニル、フェニル、またはＣ1〜Ｃ4アルコキシであり、
Ｒ14は、水素、ＣＨ2Ｂｒ、ＣＨ2Ｃｌ、またはＩであり、
Ｒ15は、水素、Ｃ1〜Ｃ4−アルキル、またはベンジルであり、
Ｒ16は、Ｃ1〜Ｃ4アルキルまたはフェニルであり、
ｗは、３〜１０の整数であり、
Ｅは、陽イオンであり、ならびに
Ｚは、ＣＨ2またはＯである
］の単位を含むことを特徴とするオリゴマーまたはポリマー。
【請求項２】
請求項１に記載の式Ｉａのオリゴマーまたはポリマーであって、
ｚは０であり、
ｙは０であるか、または請求項２において定義されたｍと、ｍの２０倍との間の整数であり、
Ｒ1は、Ｃ1〜Ｃ4−アルキルであり、
Ｒ2は、Ｃ1〜Ｃ4−アルキルであり、
Ｘは、直接結合、Ｃ1〜Ｃ10−アルキレン、−（ＣＨ2）o−Ｏ（ＣＯ）−ＣＨ2−＊、または
【化６】
2012532238.tif 000006
であって、この場合、アスタリスクは、前記ビスアシルホスフィンオキシド部分への結合を意味しており、
ｏおよびｑは１であり、
ｒは０であり、
ｓは０であり、
Ａは、
【化７】
2012532238.tif 000007
であって、この場合、アスタリスクはＸへの結合を意味しており、
Ｂ1は、
【化８】
2012532238.tif 000008
であり、
この場合、ＡおよびＢ1は、ランダム重合またはブロック重合によって同じポリマー骨格中に組み入れられており、
Ｒ4は、Ｃ1〜Ｃ4アルキルであり、
Ｒ5は、メチル、フェニル、またはエトキシであり、
Ｒ8は水素であり、
Ｒ9は水素であり、
Ｒ12およびＲ13は、互いに独立して、Ｃ1〜Ｃ4−アルキル、ビニル、またはＣ1〜Ｃ4アルコキシであり、
Ｒ14は、水素、ＣＨ2Ｂｒ、またはＩであり、
Ｚは、ＣＨ2である、
オリゴマーまたはポリマー。
【請求項３】
ビスアシルホスフィンオキシド官能化ポリスチレン、ビスアシルホスフィンオキシド官能化ポリノルボルネン、ビスアシルホスフィンオキシド官能化ポリアクリレート、ビスアシルホスフィンオキシド官能化ポリチオフェン、ビスアシルホスフィンオキシド官能化ポリシロキサン、ビスアシルホスフィンオキシド官能化バイオポリマー、ビスアシルホスフィンオキシド官能化ポリエポキシド、ビスアシルホスフィンオキシド官能化ポリビニルエステル、およびビスアシルホスフィンオキシド官能化樹枝状ポリマーからなる群から選択される、請求項１に記載のオリゴマーまたはポリマー。
【請求項４】
式（ＩＩ）：
【化９】
2012532238.tif 000009
［式中、
Ｒ1は、Ｃ1〜Ｃ4−アルキル、Ｃ1〜Ｃ4−アルコキシ、またはＣｌであり、
Ｒ2は、Ｈ、Ｃ1〜Ｃ4−アルキル、Ｃ1〜Ｃ4−アルコキシ、またはＣｌであり、
Ｙは、−（ＣＨ2）a−または−ＣＨ2−ＣＨＯＨ−ＣＨ2−であり、
ａは、１〜１０の整数であり、
ＦＧは、Ｃｌ、Ｂｒ、ＯＨ、ＳＨ、ＮＨ2、Ｎ3、ＣＯＯＨ、ＣＯＯ-Ｅ+、ＣＯＯＣＨ3、ＣＯＯＮＨ2、
【化１０】
2012532238.tif 000010
であり、
ｂは、０、１、または２であり、
ｃは、１または２であり、
Ｒ3は、水素またはメチルであり、
Ｒ4は、Ｃ1〜Ｃ4アルキル、特に、エチルであり、
Ｒ5およびＲ5aは、互いに独立して、メチル、フェニル、またはエトキシであり、
Ｅは、陽イオンであり、
ただし、ａが１の場合、ＦＧは、ＣＯＯＣＨ3または
【化１１】
2012532238.tif 000011
ではない］の、官能化ビスアシルホスフィンオキシド化合物。
【請求項５】
請求項２において定義された式Ｉのポリマーまたはオリゴマーの製造のための、式ＩＩａ：
【化１２】
2012532238.tif 000012
［式中、
Ｒ1は、Ｃ1〜Ｃ4−アルキル、Ｃ1〜Ｃ4−アルコキシ、またはＣｌであり、
Ｒ2は、Ｈ、Ｃ1〜Ｃ4−アルキル、Ｃ1〜Ｃ4−アルコキシ、またはＣｌであり、
Ｙは、−（ＣＨ2）a−または−ＣＨ2−ＣＨＯＨ−ＣＨ2−であり、
ａは、１〜１０の整数であり、
ＦＧは、Ｃｌ、Ｂｒ、ＯＨ、ＳＨ、ＮＨ2、Ｎ3、ＣＯＯＨ、ＣＯＯ-Ｅ+、ＣＯＯＲ17、ＣＨ＝ＣＨ2、
【化１３】
2012532238.tif 000013
、ＣＯＯＮＨ2、
【化１４】
2012532238.tif 000014
であり、
ｂは、０、１、または２であり、
ｃは、１または２であり、
Ｒ3は、水素またはメチルであり、
Ｒ4は、Ｃ1〜Ｃ4アルキル、特に、エチルであり、
Ｒ5およびＲ5aは、互いに独立して、メチル、フェニル、またはエトキシであり、
Ｅは、陽イオン、特にＮａ、Ｋ、またはＬｉであり、
Ｒ17は、Ｃ1〜Ｃ4アルキルまたはＣＨ＝ＣＨ2である］の化合物の使用。
【請求項６】
請求項１おいて定義された式Ｉのポリマーまたはオリゴマーの製造のための、請求項４において定義された式ＩＩの化合物の使用。
【請求項７】
請求項１から３までのいずれか１項において定義された、１つ以上のビスアシルホスフィンオキシド部分によって置換されているオリゴマーまたはポリマーの合成方法であって、生成物が、請求項４において定義された式ＩＩの官能化されたビスアシルホスフィンオキシド化合物または請求項５において定義された式ＩＩａの官能化されたビスアシルホスフィンオキシド化合物の、単独重合、あるいは場合によりビスアシルホスフィンオキシド部分を有さない１種以上のモノマーとの共重合によって、場合により好適な触媒を使用して、得られることを特徴とする前記合成方法。
【請求項８】
請求項１から３までのいずれか１項において定義された、１つ以上のビスアシルホスフィンオキシド部分によって置換されているオリゴマーまたはポリマーの合成方法であって、生成物が、請求項４において定義された式ＩＩのビスアシルホスフィンオキシド化合物における官能基「ＦＧ」と、または請求項５において定義された式ＩＩａのビスアシルホスフィンオキシド化合物における官能基「ＦＧ」と、前記ビスアシルホスフィンオキシド化合物上の前記官能基と反応可能な、ポリマーまたはコポリマー骨格上の第二官能基との反応によって、場合により好適な触媒を使用して得られることを特徴とする前記合成方法。
【請求項９】
請求項１から３までのいずれか１項において定義された、１つ以上のビスアシルホスフィンオキシド部分によって置換されているオリゴマーまたはポリマーの合成方法であって、生成物が、対称または非対称な金属ビスアシルホスフィドオキシドと、前記金属ビスアシルホスフィドと反応可能なポリマーまたはコポリマー骨格上の官能基との反応、ならびにその後の好適な酸化剤による酸化によって得られることを特徴とする前記合成方法。
【請求項１０】
請求項１から３までのいずれか１項において定義された１つ以上のビスアシルホスフィンオキシド部分によって置換されたオリゴマーまたはポリマーの、光開始剤としての、フラッド照射または像様照射のいずれかによる表面および粒子の官能化のための、好適なモノマーの存在下での照射による布地の貴化ための、または非極性環境でのゲルの光誘起形成のための使用。
【請求項１１】
（Ａ）少なくとも１種のエチレン性不飽和光重合性化合物と、
（Ｂ）光開始剤としての、請求項１において定義された１つ以上のビスアシルホスフィンオキシド部分によって置換されている少なくともオリゴマーまたはポリマーと
を含む光重合性組成物。
【請求項１２】
成分（Ａ）および（Ｂ）に加えて、さらなる光開始剤（Ｃ）および／またはさらなる添加剤（Ｄ）を含む、請求項１１に記載の光重合性組成物。
【請求項１３】
（Ａ*）水中に乳化、分散、または溶解されている少なくとも１種のエチレン性不飽和光重合性化合物と、
（Ｂ*）光開始剤として、式ＩＩｂ：
【化１５】
2012532238.tif 000015
［式中、
Ｒ1は、Ｃ1〜Ｃ4−アルキル、Ｃ1〜Ｃ4−アルコキシ、またはＣｌであり、
Ｒ2は、Ｈ、Ｃ1〜Ｃ4−アルキル、Ｃ1〜Ｃ4−アルコキシ、またはＣｌであり、
Ｙは、−（ＣＨ2）a−または−ＣＨ2−ＣＨＯＨ−ＣＨ2−であり、
ａは、１〜１０の整数であり、
ＦＧは、ＣＯＯＨ、
【化１６】
2012532238.tif 000016
、ＣＯＯ-Ｅ+、
【化１７】
2012532238.tif 000017
であり、
Ｅは、陽イオン、特にＮａである］の化合物と
を含む光重合性組成物。
【請求項１４】
請求項１１から１３までのいずれか１項に記載の組成物によって少なくとも１つの表面がコーティングされている被覆基材。
【手続補正２】
【補正対象書類名】明細書
【補正対象項目名】００１１
【補正方法】変更
【補正の内容】
【００１１】
当該オリゴマーまたはポリマーは、例えば、式Ｉａ：
【化２】
2012532238.tif 000018
［式中、
ｍは、２以上の整数であり、
ｙおよびｚは、互いに独立して、０〜１５０００の整数であり、
Ａは、
【化３】
2012532238.tif 000019
であって、この場合、アスタリスクはＸへの結合を意味しており、
Ｂ1およびＢ2は、互いに独立して、
【化４】
2012532238.tif 000020
であり、
この場合、Ａ、Ｂ1、およびＢ2は、ランダム重合またはブロック重合によって同じポリマー骨格中に組み入れられており、
Ｘは、直接結合、Ｃ1〜Ｃ10−アルキレン、−（ＣＨ2）o−ＮＨ−ＣＯ−Ｏ−（ＣＨ2）p−＊、−（ＣＨ2）o−ＮＨ−ＣＯ−Ｏ−ＣＨ2−ＣＨＯＨ−ＣＨ2−＊、−（ＣＨ2）o−ＮＨ−ＣＯ−ＮＨ−（ＣＨ2）p−＊、−（ＣＨ2）o−ＮＨ−ＣＯ−Ｓ−（ＣＨ2）p−＊、−（ＣＨ2）o−Ｏ−ＣＯ−ＣＨＲ3−ＣＨ2−ＮＨ−（ＣＨ2）p−＊、＊−（ＣＨ2）o−Ｏ−ＣＯ−ＣＨＲ3−ＣＨ2−ＮＨ−（ＣＨ2）p−、−（ＣＨ2）o−ＣＯ−Ｏ−（ＣＨ2）p−＊、−（ＣＨ2）o−Ｏ−ＣＯ−ＣＨＲ3−ＣＨ2−Ｓ−（ＣＨ2）p−＊、＊−（ＣＨ2）o−Ｏ−ＣＯ−ＣＨＲ3−ＣＨ2−Ｓ−（ＣＨ2）p−、−（ＣＨ2）o−Ｏ−ＣＯ−ＣＨ（ＣＯＣＨ3）−ＣＨ2−Ｃ（ＣＯＯＲ3）ＣＨ2−＊、−（ＣＨ2）o−ＮＨ−ＣＨ2−ＣＨ2−Ｃ（ＣＯＯＲ3）ＣＨ2−＊、−（ＣＨ2）o−Ｓ−（ＣＨ2）o−Ｃ（ＣＯＯＲ3）ＣＨ2−＊、−（ＣＨ2）o−Ｏ−ＣＯ−ＣＨ（ＣＯＣＨ3）−ＣＨ2−ＣＨＲ3−ＣＯ−Ｏ−（ＣＨ2−ＣＨ2−Ｏ）t（ＣＯ）ＣＨ2−＊、−（ＣＨ2）o−ＮＨ−ＣＨ2−ＣＨＲ3−ＣＯ−Ｏ−（ＣＨ2−ＣＨ2−Ｏ）t（ＣＯ）ＣＨ2−＊、−（ＣＨ）ｏ−Ｓ−ＣＨ2−ＣＨＲ3−ＣＯ−Ｏ−ＣＨ2−ＣＨ2−＊、−（ＣＨ2）o−Ｓ−ＣＨ2−ＣＨＲ3−ＣＯ−Ｏ−（ＣＨ2−ＣＨ2−Ｏ）t（ＣＯ）ＣＨ2−＊、−（ＣＨ2）o−ＮＨ−ＣＨ2−ＣＨＲ3−ＣＯ−Ｏ−ＣＨ2−ＣＨ2−＊、−（ＣＨ2）o−Ｏ−ＣＯ−ＣＨ（ＣＯＣＨ3）−ＣＨ2−ＣＨＲ3−ＣＯ−Ｏ−ＣＨ2−ＣＨ2−＊、−（ＣＨ2）o−ＣＯ−Ｏ−ＣＨ2−ＣＨＯＨ−ＣＨ2−＊、−（ＣＨ2）o−Ｏ（ＣＯ）−ＣＨ2−＊、−（ＣＨ2ＣＨ2Ｏ）t−（ＣＯ）−ＣＨ2−＊、−（ＣＨ2）o−ＣＨＯＨ−ＣＨ2−Ｏ（ＣＯ）−ＣＨ2−＊、または
【化５】
2012532238.tif 000021
であって、この場合、アスタリスクは、ビスアシルホスフィンオキシド部分への結合を意味しており、
ｏ、ｐ、およびｑは、互いに独立して、１〜４の整数であり、
ｒは、０〜２の整数であり、
ｓは、０または１であり、
ｔは、１または２の整数であり、
Ｒ1は、Ｃ1〜Ｃ4−アルキル、Ｃ1〜Ｃ4−アルコキシ、またはＣｌであり、および
Ｒ2は、水素、Ｃ1〜Ｃ4−アルキル、Ｃ1〜Ｃ4−アルコキシ、またはＣｌであり、
Ｒ3は、水素またはメチルであり、
Ｒ4は、Ｃ1〜Ｃ4アルキルであり、
Ｒ5は、メチル、フェニル、またはエトキシであり、
Ｒ6は、Ｃ1〜Ｃ10アルキルまたはＣ1〜Ｃ9ペルフルオロアルキルであり、
Ｒ7は、非置換かあるいはＣ1〜Ｃ4アルキル、Ｃ1〜Ｃ4アルコキシ、またはＣｌによって置換されている、Ｃ1〜Ｃ10アルキル、−ＣＨ2−Ｏ−Ｃ1〜Ｃ10アルキル、−ＣＨ2−Ｏ−（ＣＨ2）o−Ｃ5〜Ｃ8シクロアルキル、−ＣＨ2−Ｏ−（ＣＨ2）o−Ｃ6〜Ｃ10アリール、Ｃ1〜Ｃ9ペルフルオロアルキル、−ＣＨ2−Ｏ−Ｃ1〜Ｃ10ペルフルオロアルキル、−ＣＨ2−Ｏ−Ｃ6〜Ｃ10アリールであり、
Ｒ8は、水素、Ｃ1〜Ｃ8アルキル、（ＣＯ）Ｏ−Ｒ15、またはＣＮであり、
Ｒ9は、水素または（ＣＯ）Ｏ−Ｒ15であり、
あるいはＲ8およびＲ9が一緒になって、−（ＣＨ2）w−、−ＣＨ＝ＣＨ−ＣＨ2−、−（ＣＯ）−Ｏ−（ＣＯ）−、−（ＣＯ）−Ｎ（Ｒ16）−ＣＯ−、または
【化６】
2012532238.tif 000022
であり、
Ｒ10は、水素、Ｃ1〜Ｃ8−アルキル、または−ＳＯ3-Ｅ+であり、
Ｒ11は、水素であり、
あるいはＲ10およびＲ11が一緒になって、−Ｏ−ＣＨ2ＣＨ2−Ｏ−であり、
Ｒ12およびＲ13は、互いに独立して、Ｃ1〜Ｃ4−アルキル、ビニル、フェニル、またはＣ1〜Ｃ4アルコキシであり、
Ｒ14は、水素、ＣＨ2Ｂｒ、ＣＨ2Ｃｌ、またはＩであり、
Ｒ15は、水素、Ｃ1〜Ｃ4−アルキルまたはベンジルであり、
Ｒ16は、Ｃ1〜Ｃ4アルキルまたはフェニルであり、
ｗは、３〜１０の整数であり、
Ｅは、陽イオンであり、ならびに
Ｚは、ＣＨ2またはＯである］の単位を含む。
【手続補正３】
【補正対象書類名】明細書
【補正対象項目名】００１３
【補正方法】変更
【補正の内容】
【００１３】
興味深いのは、上記において説明したような式Ｉａのオリゴマーまたはポリマーであって、この場合、
ｚは０であり、
ｙは０であるか、または請求項２において定義されたｍと、ｍの２０倍との間の整数であり、
Ｒ1は、Ｃ1〜Ｃ4−アルキルであり、
Ｒ2は、Ｃ1〜Ｃ4−アルキルであり、
Ｘは、直接結合、Ｃ1〜Ｃ10−アルキレン、−（ＣＨ2）o−Ｏ（ＣＯ）−ＣＨ2−＊、または
【化７】
2012532238.tif 000023
であって、この場合、アスタリスクは、ビスアシルホスフィンオキシド部分への結合を意味しており、
ｏおよびｑは１であり、
ｒは０であり、
ｓは０であり、
Ａは、
【化８】
2012532238.tif 000024
であって、この場合、アスタリスクはＸへの結合を意味しており、
Ｂ1は、
【化９】
2012532238.tif 000025
であり、
この場合、ＡおよびＢ1は、ランダム重合またはブロック重合によって同じポリマー骨格中に組み入れられており、
Ｒ4は、Ｃ1〜Ｃ4アルキルであり、
Ｒ5は、メチル、フェニル、またはエトキシであり、
Ｒ8は水素であり、
Ｒ9は水素であり、
Ｒ12およびＲ13は、互いに独立して、Ｃ1〜Ｃ4−アルキル、ビニル、またはＣ1〜Ｃ4アルコキシであり、
Ｒ14は、水素、ＣＨ2Ｂｒ、またはＩであり、
Ｚは、ＣＨ2である。
【手続補正４】
【補正対象書類名】明細書
【補正対象項目名】００３８
【補正方法】変更
【補正の内容】
【００３８】
Ｒ7は、非置換あるいはＣ1〜Ｃ4アルキル、Ｃ1〜Ｃ4アルコキシ、またはＣｌによって置換されている、Ｃ1〜Ｃ10アルキル、−ＣＨ2−Ｏ−Ｃ1〜Ｃ10アルキル、−ＣＨ2−Ｏ−Ｃ1〜Ｃ10シクロアルキル−アルキリデニル−、Ｃ1〜Ｃ9ペルフルオロアルキル、−ＣＨ2−Ｏ−Ｃ1〜Ｃ10ペルフルオロアルキル、−ＣＨ2−Ｏ−Ｃ6〜Ｃ10アリールである。
【手続補正５】
【補正対象書類名】明細書
【補正対象項目名】００３９
【補正方法】変更
【補正の内容】
【００３９】
Ｒ7として好ましいのは、非置換あるいはＣ1〜Ｃ4アルキルまたはＣ1〜Ｃ4アルコキシによって置換されている、−ＣＨ2−Ｏ−Ｃ1〜Ｃ10アルキル、−ＣＨ2−Ｏ−Ｃ1〜Ｃ10シクロアルキル−アルキリデニル−、ＣＨ2−Ｏ−Ｃ6〜Ｃ10アリールである。